(57)【要約】【課題】アンテナの性能に影響されることなく電磁波吸収性能を精度よく測定することが可能な電磁波吸収体の吸収性能測定方法を提供する。【解決手段】送信アンテナ７から送信した電磁波Ｅａを電磁波吸収体１に斜めから入射して反射させ、その反射波Ｅｂを受信アンテナ８で受信する際に、電磁波反射板３を介して反射した反射波Ｅｂ’を受信する。【選択図】図１
2004212313.tif 000002
【特許請求の範囲】
【請求項１】
送信アンテナから送信した電磁波を電磁波吸収体に斜めから入射して反射させ、該反射した電磁波を受信アンテナで受信する際に、電磁波反射板を介して前記電磁波を前記受信アンテナで受信する電磁波吸収体の吸収性能測定方法。
【請求項２】
前記電磁波吸収体の電磁波反射面と前記電磁波反射板の反射面との成す角度が９０°である請求項１に記載の電磁波吸収体の吸収性能測定方法。
【発明の詳細な説明】
【０００１】
【発明の属する技術分野】
本発明は、電磁波吸収体の吸収性能測定方法に関し、更に詳しくは、アンテナの性能に影響されずに電磁波吸収性能を測定できるようにした電磁波吸収体の吸収性能測定方法に関する。
【０００２】
【従来の技術】
従来、電磁波吸収体に斜めから電磁波を入射した際の吸収性能測定では、図２に示すように、送信機能と受信機能を備えたアナライザ１１からアンプ１２、送信アンテナ１３を介して送信した電磁波を、支柱１４に取り付けた電磁波吸収体１５に斜めから入射させ、その反射波を反射位置に設置した受信アンテナ１６により受信するようにしている（例えば、特許文献１参照）。
【０００３】
測定基準となる金属板で測定した反射電磁波量と電磁波吸収体１５がない状態で測定した反射電磁波量を予め上記と同様にしてアナライザ１１で計測しておき、これらを基に電磁波吸収体１５の吸収性能（減衰特性や位相など）を解析している。
【０００４】
【特許文献１】
特開２００２−１１１２７７号公報（１２頁、図１５等）
【０００５】
【発明が解決しようとする課題】
上述した測定方法は、電磁波の入射角αが図２に示すように小さい角度であれば問題ないが、図３に示すように入射角αが大きい角度になると、受信アンテナ１６が電磁波吸収体１５からの反射波に加えて、点線の矢印で示すように、送信アンテナ１３からの電磁波を直接受信し易くなる。
【０００６】
そのため、電磁波に円偏波を使用することで、直接波の影響を受け難くしている。即ち、円偏波には右旋偏波と左旋偏波の２種類の偏波があり、両偏波は反射する毎に右旋偏波は左旋偏波に、左旋偏波は右旋偏波に変わる性質がある。また、右旋偏波は右旋偏波用アンテナでしか受信することができず、左旋偏波は左旋偏波用アンテナでしか受信することができない。
【０００７】
そこで、送信アンテナ１３に右旋偏波用送信アンテナを、受信アンテナ１６に左旋偏波用受信アンテナを使用し、右旋偏波用送信アンテナから送信された右旋偏波の反射波（左旋偏波）を左旋偏波用受信アンテナで受信することにより、送信アンテナ１３からの直接波（右旋偏波）を受信アンテナ１６で直接受信し難くしている。あるいは、送信アンテナ１３に左旋偏波用送信アンテナ、受信アンテナ１６に右旋偏波用受信アンテナを使用して同様に対応している。
【０００８】
しかしながら、直接波の影響を確実に排除しようとすると、高価な高性能の右旋偏波用受信アンテナあるいは左旋偏波用受信アンテナが必要になり、アンテナの性能に大きく影響されるという問題があった。
【０００９】
本発明の目的は、アンテナの性能に影響されることなく電磁波吸収性能を精度よく測定することが可能な電磁波吸収体の吸収性能測定方法を提供することにある。
【００１０】
【課題を解決するための手段】
上記目的を達成する本発明は、送信アンテナから送信した電磁波を電磁波吸収体に斜めから入射して反射させ、該反射した電磁波を受信アンテナで受信する際に、電磁波反射板を介して前記電磁波を前記受信アンテナで受信することを特徴とする。
【００１１】
上述した本発明によれば、電磁波反射板により電磁波吸収体で反射した電磁波の進行方向を変更することができるので、受信アンテナを送信アンテナの直接波の影響を受ける範囲外に設置することができる。従って、直接波の影響を受けることがないため、高価な高性能のアンテナが不要であり、アンテナの性能に影響されることなく電磁波吸収性能を精度よく測定することが可能になる。
【００１２】
【発明の実施の形態】
以下、本発明の構成について添付の図面を参照しながら詳細に説明する。
【００１３】
図１は本発明の電磁波吸収体の吸収性能測定方法の一例を示し、１は支柱２に取り付けた電磁波吸収体、３は支柱４に取り付けた板状の電磁波反射板、５は電磁波の送信機能と受信機能を備えたアナライザであり、このアナライザ５にアンプ６を介して送信アンテナ７が、また受信アンテナ８が接続してある。
【００１４】
電磁波反射板３は、測定基準となる金属板と同じ材料から構成され、電磁波吸収体１の反射側に設置され、その平面状の反射面３ａと電磁波吸収体１の平面状の電磁波反射面１ａとの成す角度Ｘを９０°にしている。
【００１５】
電磁波反射板３は、図示するように１枚の金属板で構成するのがシンプルで好ましいが、積層した複数の金属板から構成してもよい。また、金属板に代えて、金属箔、導電性メッシュ、導電性織物、導電性シート、ガラス板等に導電性塗料を塗布または金属を蒸着したものであってもよい。
【００１６】
以下、上述した構成による本発明の測定方法を、送信アンテナ７に右旋偏波用送信アンテナを用いた場合について説明する。なお、この場合、受信アンテナ８では右旋偏波用受信アンテナを使用する。
【００１７】
先ず、送信アンテナ７から送信した右旋偏波（電磁波）Ｅａは、電磁波吸収体１の電磁波反射面１ａに入射角αで斜めから入射し、それと同じ角度ｓで左旋偏波（第１の反射波）Ｅｂとなって反射する。その左旋偏波Ｅｂは電磁波反射板３の反射面３ａで入射角と反射角を同じにして更に右旋偏波（第２の反射波）Ｅｂ’となって反射した後、受信アンテナ８で受信される。
【００１８】
送信アンテナ７からの直接波Ｅｃは、電磁波反射板３の反射面３ａに直接当たって反射するが、反射方向が受信アンテナ８の設置方向と異なるので、受信アンテナ８で受信されることがない。
【００１９】
受信アンテナ８で受信された反射波Ｅｂ’はアナライザ５に入力され、従来と同様にして、予め上記と同様にしてアナライザ５で計測した、測定基準となる金属板で測定した反射電磁波量と電磁波吸収体１がない状態で測定した反射電磁波量を基に電磁波吸収体１の吸収性能（減衰特性や位相など）が解析される。
【００２０】
このように本発明では、送信アンテナ７から送信した電磁波Ｅａを電磁波吸収体１に斜めから入射して反射させ、更に電磁波反射板３を介してその反射波Ｅｂ’を受信アンテナ８で受信するようにしたことで、受信アンテナ８を直接波Ｅｃの影響を受けない所に設置可能になるため、受信アンテナ８で反射波Ｅｂ’のみを受信し、送信アンテナ７からの直接波Ｅｃの受信を回避することができる。
【００２１】
そのため、電磁波Ｅａの直接波Ｅｃによる影響を確実に排除するために、従来のような高価な高性能の受信アンテナを設置する必要がなく、従って、アンテナの性能に左右されることなく直接波Ｅｃの影響を排除し、電磁波吸収体１の電磁波吸収性能を精度よく測定することができる。
【００２２】
上述した例では、右旋偏波の場合について説明したが、送信アンテナ７に左旋偏波用送信アンテナ、受信アンテナ８に左旋偏波用受信アンテナを使用し、左旋偏波の電磁波を用いた場合も同様である。
【００２３】
本発明において、上記電磁波反射板３は、上述したように電磁波吸収体１の電磁波反射面１ａと電磁波反射板３の反射面３ａとの成す角度Ｘを９０°となるように設置するのが、電磁波反射板３反射後の受信アンテナ８に向かう反射波Ｅｂ’を送信アンテナ７からの電磁波Ｅａに対して平行に反射させることができるので、測定する際に受信アンテナ８の位置決めを容易にして、迅速な測定を行うことができるため好ましいが、当然のことながら、送信アンテナ７からの直線波Ｅｃを受信しない範囲であれば、角度Ｘを適宜設定することができる。
【００２４】
上記実施形態では、電磁波反射板３を電磁波吸収体１の反射側に設置したが、電磁波吸収体１の入射側に設置し、電磁波反射板３で反射した電磁波を電磁波吸収体１に入射し、その反射波を受信アンテナ８で受信するようにしてもよい。
【００２５】
本発明は、上述したように偏波方式として円偏波を使用した電磁波の吸収性能を測定する際に好ましく用いることができるが、それに限定されず、偏波方式をＴＥ（水平）波やＴＭ（垂直）波にした電磁波を用いて電磁波吸収体１の吸収性能を測定する場合にも好適に使用することができる。
【００２６】
【発明の効果】
上述したように本発明は、送信アンテナから送信した電磁波を電磁波吸収体に斜めから入射して反射させ、該反射した電磁波を受信アンテナで受信する際に、電磁波反射板を介して受信するため、電磁波反射板により電磁波吸収体で反射した電磁波の進行方向を変更することができるので、受信アンテナを送信アンテナの直接波の影響を受ける範囲外に設置することが可能になる。従って、直接波の影響を回避し、アンテナの性能に影響されることなく電磁波吸収性能を精度よく測定することができる。
【図面の簡単な説明】
【図１】本発明の電磁波吸収体の吸収性能測定方法の一例を示す説明図である。
【図２】従来の電磁波吸収体の吸収性能測定方法を示す説明図である。
【図３】従来の電磁波吸収体の吸収性能測定方法において、入射角を大きくして測定する状態を示す説明図である。
【符号の説明】
１  電磁波吸収体                  １ａ  電磁波反射面
３  電磁波反射板                  ３ａ  反射面
５  アナライザ                  ７  送信アンテナ
８  受信アンテナ                Ｅａ  右旋偏波（電磁波）
Ｅｂ  左旋偏波（反射波）        Ｅｂ’  右旋偏波（反射波）
Ｅｃ  直接波                    Ｘ  角度
α  入射角
【図１】
2004212313.tif 000003
【図２】
2004212313.tif 000004
【図３】
2004212313.tif 000005